(57)【要約】      （修正有）【課題】単にミストを肌に噴射しているだけなので、肌に対してミストがほとんど浸透せず、実効性の高いスキンケアを行うことができないという課題を解決する噴霧式美肌装置を提供する。【解決手段】美容液を貯蔵する液体貯蔵部と、液体貯蔵部の美容液を霧化したミストを肌に噴出するミストプレート６と、ミストプレート６からミストが噴出される肌に対し、ミストＭの浸透を促進するＬＥＤ光を発するＬＥＤ７とを備えるようにした。【選択図】図１
2012090869.tif 000002
【特許請求の範囲】
【請求項１】
液体を貯蔵する貯液手段と、
この貯液手段の液体を霧化したミストを肌に噴出する噴霧手段と、
この噴霧手段からミストが噴出される肌に対し、上記ミストの浸透を促進する浸透促進手段とを備えることを特徴とする噴霧式美肌装置。
【請求項２】
貯液手段は、肌にとって有効な美肌成分が配合された美容液を貯蔵することを特徴とする請求項１記載の噴霧式美肌装置。
【請求項３】
噴霧手段は、一方の面から他方の面へ通じる微細孔が多数形成されるとともに、上記一方の面に対し貯液手段から液体が供給される多孔板と、
上記微細孔が通じる方向へ上記多孔板を振動させる振動素子とを備えることを特徴とする請求項１記載の噴霧式美肌装置。
【請求項４】
浸透促進手段は、噴霧手段からミストが噴出される肌に対し、ミストの浸透を促進する光を発する発光ダイオードとすることを特徴とする請求項１記載の噴霧式美肌装置。
【発明の詳細な説明】
【技術分野】
【０００１】
この発明は、美容液などを霧化したミストを肌に噴射してスキンケアを行う噴霧式美肌装置の分野に係るものである。
【背景技術】
【０００２】
美容液などを霧化して微細なミストを生成し、このミストを使用者の肌に噴射する噴霧式美肌装置が例えば特許文献１に開示されている。噴霧式美肌装置から噴射されたミストの美肌成分により、肌の保湿や細胞組織の活性化などといった種々のスキンケアが行われる。
【先行技術文献】
【特許文献】
【０００３】
【特許文献１】実用新案登録第３１６１１２３号
【発明の概要】
【発明が解決しようとする課題】
【０００４】
従来の噴霧式美肌装置は、単にミストを肌に噴射しているだけなので、肌に対してミストがほとんど浸透せず、実効性の高いスキンケアを行うことができないという課題があった。
【０００５】
例えば、保湿力に優れ肌の弾力を保つコラーゲンの合成に必須のビタミンＣを美容液に配合し、このビタミンＣ配合美容液のミストを肌に噴射してコラーゲン合成を促進しようとしても、水溶性で酸化しやすいビタミンＣは皮膚の表皮にわずかに浸透するのみで、コラーゲンが合成される真皮にはほとんど浸透しない。このように、従来の噴霧式美肌装置を使ったスキンケアはさほど効果を挙げられなかった。
【０００６】
この発明は上記の課題を解決するためになされたもので、肌に対してミストの浸透を促進し、実効性の高いスキンケアを行うことが可能な噴霧式美肌装置を提供することを目的とする。
【課題を解決するための手段】
【０００７】
この発明に係る噴霧式美肌装置は、液体を貯蔵する貯液手段と、この貯液手段の液体を霧化したミストを肌に噴出する噴霧手段と、この噴霧手段からミストが噴出される肌に対し、ミストの浸透を促進する浸透促進手段とを備えるようにしたものである。
【０００８】
貯液手段は、肌にとって有効な美肌成分が配合された美容液を貯蔵するようにしたものである。
【０００９】
噴霧手段は、一方の面から他方の面へ通じる微細孔が多数形成されるとともに、一方の面に対し貯液手段から液体が供給される多孔板と、微細孔が通じる方向へ多孔板を振動させる振動素子とを備えるようにしたものである。
【００１０】
浸透促進手段は、噴霧手段からミストが噴出される肌に対し、ミストの浸透を促進する光を発する発光ダイオードとするようにしたものである。
【発明の効果】
【００１１】
以上のように、この発明によれば、液体を貯蔵する貯液手段と、この貯液手段の液体を霧化したミストを肌に噴出する噴霧手段と、この噴霧手段からミストが噴出される肌に対し、ミストの浸透を促進する浸透促進手段とを備えるようにしたので、浸透促進手段の浸透促進作用により肌の奥深くまでミストを浸透させられるようになり、実効性の高いスキンケアを行うことができるという効果が得られる。
【００１２】
貯液手段は、肌にとって有効な美肌成分が配合された美容液を貯蔵するようにしたので、肌にとって有効な美肌成分を持つミストが噴霧手段から肌に噴射されるようになり、種々のスキンケアに必要な美肌成分を肌に与えることができるという効果が得られる。
【００１３】
噴霧手段は、一方の面から他方の面へ通じる微細孔が多数形成されるとともに、一方の面に対し貯液手段から液体が供給される多孔板と、微細孔が通じる方向へ多孔板を振動させる振動素子とを備えるようにしたので、微細孔が通じる方向へ振動素子が多孔板を振動させることにより、多孔板の一方の面に供給される液体が多数の微細孔を介して他方の面からミストとなって噴出するようになり、簡単な構成でミストを生成できるという効果が得られる。
【００１４】
浸透促進手段は、噴霧手段からミストが噴出される肌に対し、ミストの浸透を促進する光を発する発光ダイオードとするようにしたので、浸透促進作用を持った光を発光ダイオードから発することにより、肌の奥深くまでミストを浸透させられるようになり、実効性の高いスキンケアを行うことができるという効果が得られ、浸透促進手段の省電力化・長寿命化を実現できるという効果が得られる。
【図面の簡単な説明】
【００１５】
【図１】この発明に係る噴霧式美肌装置の外観を示す図である。
【図２】この発明に係る噴霧式美肌装置の機能ブロック構成を示す図である。
【図３】この発明に係る噴霧式美肌装置の使用方法を示す図である。
【発明を実施するための形態】
【００１６】
以下、図面を参照しつつ、この発明の実施の形態を詳細に説明する。なお、各図面では、同一の構成または相当する構成については同一の符号を付す。
図１はこの発明に係る噴霧式美肌装置の構成を示す図であり、（ａ）はキャップ装着した状態、（ｂ）は下面、（ｃ）は液体注入口、（ｄ）はキャップを外した状態を図示している。
【００１７】
図１において、１は噴霧式美肌装置、２はＵＳＢ（※１）差込口、３Ｌは電源ランプ、３Ｓは電源スイッチ、３Ｍはミストスイッチ、３Ｐはフォトスイッチ、４はキャップ、５は液体注入口、６はミストを肌に噴出する噴霧手段のミストプレート、７はミストプレート６の周囲に設けられた浸透促進手段のＬＥＤ（※２），８はスライドカバーである。
【００１８】
（※１）ＵＳＢ……Ｕｎｉｖｅｒｓａｌ  Ｓｅｒｉａｌ  Ｂｕｓ［英］の略。
（※２）ＬＥＤ……発光ダイオード。Ｌｉｇｈｔ  Ｅｍｉｔｔｉｎｇ  Ｄｉｏｄｅ［英］の略。
【００１９】
図２はこの発明に係る噴霧式美肌装置の機能ブロック構成を示す図である。図２において、２１はＡＣ／ＤＣ変換用のアダプター、２２は充電池、２３は充電制御部、２４はＣＰＵ制御部、３は電源ランプ３Ｌ・電源スイッチ３Ｓ・ミストスイッチ３Ｍ・フォトスイッチ３Ｐからなるスイッチ・ＬＥＤ部、２５は微弱信号を発振する発振回路、２６は振動素子６Ｖを駆動する駆動回路、２７はＬＥＤ７を駆動するＬＥＤ駆動回路、２８は美容液などを貯蔵する貯液手段の液体貯蔵部である。
【００２０】
次に使用方法について説明する。
アダプター２１をＵＳＢ差込口２に差込んでコンセントにつなげると、スイッチ・ＬＥＤ部３の電源ランプ３Ｌが赤く点灯し、充電制御部２３が充電池２２の充電を開始する。その後、十分に時間が経過し充電池２２から温度情報や満充電フラグが送られてくると、電源ランプ３Ｌが消灯し、充電制御部２３は充電池２２の充電を完了する。
【００２１】
充電が済むと、キャップ４を取り外し、液体注入口５から美容液を注入して液体貯蔵部２８に貯蔵し、キャップ４を装着する。コラーゲンの合成に必須のビタミンＣや、抗酸化作用を持ち肌の老化を防止するビタミンＥなど、肌にとって有効な美肌成分を配合した美容液を注入することにより、これらの美肌成分を持ったミストが噴霧式美肌装置１で生成され、種々のスキンケアに必要な美肌成分が肌に与えられる。
【００２２】
美容液の注入に続いてスライドカバー８を下げると、ミストプレート６とＬＥＤ７とが現れる。噴霧式美肌装置１では、スライドカバー８を閉じた状態では電源ＯＮとならず、また、３０秒間なにも操作されないと自動的に電源ＯＦＦとなるように、ＣＰＵ制御部２４が制御している。
【００２３】
スライドカバー８を下げ電源スイッチ３Ｓを押すと電源ＯＮとなり、電源ランプ３Ｌが青く点灯し、充電池２２から電力が供給される。そしてフォトスイッチ３Ｐを押し、さらにミストスイッチ３Ｍを押すと、ＣＰＵ制御部２４はＬＥＤ駆動回路２７によりＬＥＤ７を発光させるとともに、発振回路２５に微弱信号を発振させて駆動回路２６により増幅し、振動素子６Ｖを駆動する。
【００２４】
ミストプレート６は一方の面から他方の面へ通じる微細孔が多数形成された多孔板であって、一方の面には、液体貯蔵部２８の美容液が不図示の吸液部材を介して供給されている。振動素子６Ｖは、駆動回路２６により駆動されると、微細孔の通じる板厚方向へミストプレート６を振動させるので、液体貯蔵部２８の吸液部材からミストプレート６の一方の面に供給される美容液は、微細孔を通って他方の面からミストとなって噴射する。このように、簡単な構成によりミストを生成している。なお、この方法以外にも、美容液を湯気にしてミストとしても良い。
【００２５】
こうしてＬＥＤ７が光を発しミストプレート６がミストを噴射し始めると、例えば図３に示すように顔Ｆの全体に対し、噴霧式美肌装置１を手に持って１０ｃｍぐらい離し円を描くようにゆっくりと動かす。ミストプレート６の周囲にＬＥＤ７を設けることにより、単にミストプレート６から肌にミストＭが噴射されるだけでなく、ミストＭが噴出される顔Ｆに対しＬＥＤ光Ｐも照射されるようになる。
【００２６】
ＬＥＤ光Ｐは、顔Ｆなどの肌に対して、ミストＭの浸透を促進する働きを持つことが知られている。したがって、このＬＥＤ光Ｐの持つ浸透促進作用により、ミストＭに含まれるビタミンＣなどの美肌成分が顔Ｆの真皮の奥深くまで浸透し、コラーゲンの合成その他のスキンケアに有効に用いられるようになり、実効性の高いスキンケアが実現される。
【００２７】
なお、ＬＥＤ光Ｐとしては、赤・黄・青など種々の色を選択することができる。例えば、赤色ＬＥＤ光は皮膚深部のシミ除去・肌の赤みの改善・血行促進効果・スリミングケアなどに、黄色ＬＥＤ光は皮膚表面のシミ除去・老化肌やトラブル肌の改善などに、青色ＬＥＤ光は赤ら顔や赤アザの改善・リンパドレナージュ作用や血液循環作用の増大・ストレスや緊張の緩和などに適している。また、肌に対してミストＭの浸透を促進するものであれば、ＬＥＤ７以外の浸透促進手段であっても噴霧式美肌装置１に適用して良い。
【符号の説明】
【００２８】
１  噴霧式美肌装置、２  ＵＳＢ差込口、３  スイッチ・ＬＥＤ部、３Ｌ  電源ランプ、３Ｓ  電源スイッチ、３Ｍ  ミストスイッチ、３Ｐ  フォトスイッチ、４  キャップ、５  液体注入口、６  ミストプレート、７  ＬＥＤ，８  スライドカバー、２１  アダプター、２２  充電池、２３  充電制御部、２４  ＣＰＵ制御部、２５  発振回路、２６  駆動回路、２７  ＬＥＤ駆動回路、２８  液体貯蔵部、Ｍ  ミスト、Ｐ  ＬＥＤ光、Ｆ  顔。
【図１】
2012090869.tif 000003
【図２】
2012090869.tif 000004
【図３】
2012090869.tif 000005